(57)【要約】【課題】ディスクカッターによる切削時に発生する切削塵を効果的に集塵できるディスクグラインダーを提供する。【解決手段】ディスクグラインダー１を、駆動本体部５と、駆動部本体５の先端部に取り付けたディスクカッター９と、ディスクカッター９の上側半分を覆うディスクカバー１５と、駆動本体部５に取り付けた、把持部１７及び集塵装置１９を有する支持枠体２１と、から構成する。集塵装置１９を、集塵パイプ６７と、集塵パイプ６７に接続した集塵口部６９と、から構成し、集塵口部６９の先端開口７３が、ディスクカバー１５の後端部及びディスクカバー１５よりも下側のディスクカッター９の部分２５の後端部に接近するように構成する。【選択図】図１
0003232881.tif 000002
【実用新案登録請求の範囲】
【請求項１】
モーターを内蔵して前後方向に延びる駆動本体部と、
前記駆動本体部の先端部に側方へ突出するように設けられ、前記モーターにより回転駆動される回転軸部と、
前記回転軸部に取り付けられたディスクカッターと、
前記ディスクカッターの外周の上側を覆う外周カッターカバーと、を備え、
前記回転軸部は前記ディスクカッターを前記外周カッターカバーより下側の前記ディスクカッターの部分が前方から後方に回転するように回転駆動するディスクグラインダーであって、
前記ディスクカッターの後側で開口するように配置された集塵口部と、この集塵口部から後方に延び、吸引装置に接続される集塵パイプと、をさらに有することを特徴とするディスクグラインダー。
【請求項２】
前記集塵口部は、ゴム製であり、先端開口が前記外周カッターカバーの後端部から前記外周カッターカバーより下側の前記ディスクカッターの部分の後端部にかけて臨むように形成されていて、
切削時に前記集塵口部の前記先端開口を被切削材の表面に密着できるように構成されている、ことを特徴とする請求項１記載のディスクグラインダー。
【請求項３】
前記集塵口部の角度を調整できる、ことを特徴とする請求項１又は２記載のディスクグラインダー。
【請求項４】
モーターを内蔵して前後方向に延びる駆動本体部と、
前記駆動本体部の先端部に側方へ突出するように設けられ、前記モーターにより回転駆動される回転軸部と、
前記回転軸部に取り付けられたディスクカッターと、
前記ディスクカッターの外周の上側を覆う外周カッターカバーと、を備え、
前記回転軸部は前記ディスクカッターを前記外周カッターカバーより下側の前記ディスクカッターの部分が前方から後方に回転するように回転駆動するディスクグラインダーに取り外し可能に取り付けられる集塵装置であって、
前記駆動本体部に取り外し可能に取り付けられる支持部と、
この支持部に支えられて前記ディスクカッターの後側で開口するように配置される集塵口部と、
前記支持部に支えられて、この集塵口部から後方に延び、吸引装置に接続される集塵パイプと、を有することを特徴とする集塵装置。
【請求項５】
前記集塵口部は、ゴム製であり、先端開口が前記カッターカバーの後端部から前記外周カッターカバーよりも下側の前記ディスクカッターの部分の後端部にかけて臨むように形成されていて、
切削時に前記集塵口部の前記先端開口を被切削材の表面に密着できるように構成されている、ことを特徴とする請求項４記載の集塵装置。
【請求項６】
前記集塵口部の角度を調整できる、ことを特徴とする請求項４又は５記載の集塵装置。
【考案の詳細な説明】
【技術分野】
【０００１】
本考案は、ハンディータイプ又は小型のディスクグラインダーに関する。
【背景技術】
【０００２】
ディスクグラインダーを使用して例えば石材やコンクリート面を切削する場合には多量のコンクリートの切削塵が発生する。したがって、発生したコンクリートの切削塵を集塵する集塵装置が必要となる。
【０００３】
ディスクグラインダーの集塵装置としては砥石全体をカバーで覆い、このカバー内を吸引するものが知られている（例えば特許文献１参照）。しかしながら、このような集塵装置をコンクリート面などの切削に使用されるディスクカッター（ダイヤモンドカッター）にそのまま適用することはできない。そこで、ディスクカッターの集塵装置としては、ディスクカッターの一部を覆うカッターカバーに吸引装置を接続できるように構成したものが考えられる。
【先行技術文献】
【特許文献】
【０００４】
【特許文献１】特開２００５−２３８４１７号
【考案の概要】
【考案が解決しようとする課題】
【０００５】
しかしながら、このような集塵装置では、カッターカバーから露出しているディスクカッターの部分の回転切削により発生する塵を効果的に集塵できない。
【０００６】
そこで本考案は、ディスクグラインダーのディスクカッターによる切削時に発生する切削塵を効果的に集塵でき、しかも切削作業の妨げとならないようなコンパクトな集塵装置を有するディスクグラインダー及びディスクグラインダーのディスクカッターによる切削時に発生する切削塵を効果的に集塵でき、しかも切削作業の妨げとならないようなコンパクトな集塵装置の提供を目的とする。
【課題を解決するための手段】
【０００７】
この目的を達成するための本考案のディスクグラインダーは、モーターを内蔵して前後方向に延びる駆動本体部と、前記駆動本体部の先端部に側方へ突出するように設けられ、前記モーターにより回転駆動される回転軸部と、前記回転軸部に取り付けられたディスクカッター（例えばダイヤモンドカッター）と、前記ディスクカッターの外周の上側を覆う外周カッターカバーと、を備え、前記回転軸部は前記ディスクカッターを前記外周カッターカバーよりも下側の前記ディスクカッターの部分が前方から後方に回転するように回転駆動するディスクグラインダーであって、前記ディスクカッターの後側で開口するように配置された集塵口部と、この集塵口部から後方に延び、吸引装置に接続される集塵パイプと、をさらに有するものである。集塵口部はディスクカッターによって発生する塵の移動を受けるように開口しているので、小型に形成しても十分な集塵効果を期待できる。切削時（例えば切断したり切り込みを入れたりする時）には、例えばディスクカッターを被切削材に垂直に当てる。
【０００８】
集塵口部は、ゴム製であることが効果的であり、例えば、先端開口が外周カッターカバーの後端部から外周カッターカバーよりも下側のディスクカッターの部分の後端部にかけて臨むように形成され、さらに、切削時に先端開口（例えば先端開口の底部又は下端部）が被切削材の表面に密着できるように構成される。また、集塵口部の角度（例えば先端開口の向く角度又は先端開口の上下方向位置）を調整できることが好ましい。
【０００９】
また、この目的を達成するための本考案の集塵装置は、モーターを内蔵して前後方向に延びる駆動本体部と、前記駆動本体部の先端部に側方へ突出するように設けられ、前記モーターにより回転駆動される回転軸部と、前記回転軸部に取り付けられたディスクカッター（例えばダイヤモンドカッター）と、前記ディスクカッターの外周の上側を覆う外周カッターカバーと、を備え、前記回転軸部は前記ディスクカッターを前記外周カッターカバーよりも下側の前記ディスクカッターの部分が前方から後方に回転するように回転駆動するディスクグラインダーに取り外し可能に取り付けられる集塵装置であって、前記駆動本体部に取り外し可能に取り付けられる支持部と、この支持部に支えられて前記ディスクカッターの後側で開口するように配置される集塵口部と、前記支持部に支えられて、この集塵口部から後方に延び、吸引装置に接続される集塵パイプと、を有するものである。集塵口部を集塵パイプに取り付け、この集塵パイプを支持部で支えることにより、集塵口部を支持部で支えることができる。
【００１０】
集塵口部は、ゴム製であることが効果的であり、例えば、先端開口が外周カッターカバーの後端部から外周カッターカバーよりも下側のディスクカッターの部分の後端部にかけて臨むように支持部に支えられ、さらに、切削時に先端開口（例えば先端開口の底部又は下端部）が被切削材の表面に密着できるように構成される。また、集塵口部は角度（例えば先端開口の向く角度又は先端開口の上下方向位置）を調整できるように支持部に支えられていることが好ましい。
【考案の効果】
【００１１】
本考案のディスクグラインダー又は集塵装置を用いれば、ディスクグラインダーの使用時に発生する塵を効果的に集塵できる。
【図面の簡単な説明】
【００１２】
【図１】本考案に係るディスクグラインダの斜視図である。
【図２】ディスクグラインダの支持枠体の斜視図である。
【図３】集塵口部の角度調整機構を示す図である。
【図４】切削時の集塵口部の密着状態を説明するための図である。
【考案を実施するための形態】
【００１３】
以下、本考案を実施するための形態を図面を参照して説明する。
【００１４】
図１及び図２を参照して本考案に係るディスクグラインダーの構成を説明する。
【００１５】
ディスクグラインダー１は、モーター２を内蔵し、手で握れる太さに形成されて前後方向に延び、後端部から電源ケーブル３が引き出された駆動本体部５と、この駆動部本体５の先端部に側方に突出するように設けられ、モーター２によって回転する回転軸部７と、この回転軸部７の先端部に取り付けられたディスクカッター９と、駆動部本体５の先端部に設けられ、ディスクカッター９の一部、半分、上側又は上側半分の円弧状外周を覆う円弧状の外周ディスクカバー１１及びディスクカッター９の一部、半分、上側又は上側半分の裏面を覆う半円状の裏面ディスクカバー１３を一体的に備えた断面Ｌ字型のディスクカバー１５と、駆動本体部５に取り外し可能に取り付けられた、把持部１７及び集塵装置１９を有する支持枠体２１（支持部）と、を備えて構成され、電源ケーブル３から駆動本体部５のモーター２に電力を供給してディスクカッター９を回転させ、例えばディスクカッター９をコンクリート（被切削材）に垂直に当てコンクリートを切断したりコンクリートに切り込みを入れたりする。
【００１６】
ディスクカバー１５の外周ディスクカバー１１は、ディスクカッター９の外周を覆うことができるような十分な幅を有し、表面側端部がディスクカッター９の中心側に若干折れ曲がって表面側カバー部２３を構成している。ディスクカッター９は、ディスクカバー１５の外周ディスクカバー１１よりも下側の、すなわち外周ディスクカバー１１の両端を結ぶ直線よりも下側のディスクカッター９の部分２５、又は裏面ディスクカバー１３から突出する部分２５で切削（例えば切断や切り込みを入れること）を行うが、この部分２５は矢印Ａで示すように前側から後側に向かって回転する。
【００１７】
支持枠体２１は、駆動部本体５の先端部の上面に、この上面のネジ孔（図示せず）にボルト２７をねじ込んで固定される取り付け部２９、取り付け部２９の先端から立ち上がる立ち上がり部３１及び立ち上がり部３１の上端から後方に延びる支え部３３から一体的に形成された金属製の帯板状の本体部３５と、ボルト２７を駆動部本体５の先端部の上面のネジ孔にねじ込むことにより取り付け部２９とともに駆動部本体５の先端部の上面に固定される固定部３７及び固定部３７の外端に接続形成されたディスク通過部３９から一体的に形成された金属製の帯板状の集塵支持部４１と、を備え、ディスク通過部３９は、固定部３７の外端から立ち上がる上昇部４３、この上昇部４３の外端からディスクカバー１５の上方を通過するように延びる通過部４５及び通過部４５の外端から下降する下降部４７から一体的に形成されている。すなわち、支持枠体２１はボルト２７だけで取り付けられている。また、固定部３７は取り付け部２９に固定又は接着しておくことができる。
【００１８】
本体部３５の支え部３３にはプラスチック製の筒状の把持部１７が取り付けられている。
【００１９】
ディスク通過部３９の下降部４７の下端には後方に延びて集塵装置１９を支える支持プレート５１が固定され、この支持プレート５１の後方には固定パイプリング５３が取り付けられている。また、支持プレート５１の後端と本体部３５の支え部３３の後端とは連結プレート５５で連結され、連結プレート５５の上端部には下側に延びる角度調整プレート５７が接続されていて、図３にも示すように、この角度調整プレート５７には上下方向に延びる長孔５９が形成されている。角度調整プレート５７の長孔５９には移動パイプリング６１に設けられたネジピン６３が差し込まれていて、ネジピン６３を長孔５９に沿って移動させ（矢印Ｃ参照）、角度調整プレート５７から突出するネジピン６３の端部にワッシャ６４を介してナット６５を取り付けて角度調整プレート５７に対して締め付けることにより移動パイプリング６１を高さ位置を調節して角度調整プレート５７に固定することができる。
【００２０】
固定パイプリング５３及び移動パイプリング６１には集塵装置１９のプラスチック製の集塵パイプ６７が通されて支えられている。集塵パイプ６７の先端部には集塵装置１９のゴム製若しくはラバー製又は可撓性を有する集塵口部６９が取り付けられていて、この集塵口部６９は後端の集塵パイプ６７への接続部７１から先端開口７３にかけて高さが漸次高くなるように形成されている。集塵口部６９の先端開口７３は、ディスクカバー１５又は外周ディスクカバー１１の後端部及びディスクカバー１１又は外周ディスクカバー１１よりも下側のディスクカッター９の部分２５の後端部に接近して位置し、集塵口部６９の先端開口７３の上端はディスクカバー１５又は外周ディスクカバー１１の後端部の下端より上方に位置していて、集塵口部６９の先端開口７３の下端は、集塵口部６９の下端の延長線Ｂがディスクカッター９の外側を通過するように位置している。
【００２１】
なお、集塵口部６９の先端開口７３の高さ位置又は角度は、移動パイプリング６１の高さ位置を調節して集塵パイプ６７の角度を調整することにより変化させることができる（図２の仮想線参照）。
【００２２】
このような構成のディスクグラインダー１は、例えば把持部１７を握って使用するが、図１に示すように、集塵パイプ６７の後端を吸引装置（例えば家庭用掃除機）に接続し、集塵口部６９の先端開口７３から、ディスクカッター９による切削によって発生する塵（例えばコンクリート塵）を吸引して集塵する（矢印Ｄ）。より具体的には、図４に概略的に示すように、被切削材であるコンクリートの面Ｅに集塵口部６９の先端開口７３の下端部が押し付けられて変形し、密着して切削塵を効果的に吸引する。
【符号の説明】
【００２３】
１                    ディスクグラインダー
２                    モーター
５                    駆動本体部
７                    回転軸部
９                    ディスクカッター
１１                  外周ディスクカバー
１９                  集塵装置
２１                  支持枠体（支持部）
６７                  集塵パイプ
６９                  集塵口部
【図１】
0003232881.tif 000003
【図２】
0003232881.tif 000004
【図３】
0003232881.tif 000005
【図４】
0003232881.tif 000006